(57)【特許請求の範囲】
【請求項１】
ユーザ端末からの光信号を光信号のまま転送する転送装置であって、
第１及び第２のユーザ端末と通信するための複数のインタフェースと、
前記ユーザ端末が信号を受信するための通信波長を割り当てる制御部と、
インタフェース識別子と、前記ユーザ端末のアドレスと、割り当てられる通信波長情報を記録する記憶領域と、
前記制御部による設定に従い、前記インタフェースのひとつから受信した光信号を光信号のまま他の前記インタフェースへ転送するスイッチと、
を備え、
前記制御部は、
第２のユーザ端末から該第２のユーザ端末のアドレスを受信し、
第２のユーザ端末に、該第２のユーザ端末が信号を受信するための通信波長を割り当て、該第２のユーザ端末が接続されたインタフェース識別子と、受信されたアドレスと、割り当てた通信波長情報を前記記憶領域へ記録し、
第１のユーザ端末が第２のユーザ端末のアドレス宛にデータを送る際に第１のユーザ端末から送信される、第２のユーザ端末のアドレスを含む問い合わせを受信し、
該問い合わせに含まれるアドレスに基づき前記記憶領域を参照して対応するインタフェース識別子及び通信波長情報を取得し、
第１のユーザ端末が接続された前記インタフェースからの該通信波長の光信号を、取得されたインタフェース識別子が示す前記インタフェースへ光信号のまま転送するように前記スイッチを設定し、
取得された通信波長情報を第１のユーザ端末へ通知し、
該通知に従い第１のユーザ端末から送信される該通信波長の光信号が、設定された前記スイッチにより第２のユーザ端末が接続された前記インタフェースに光信号のまま転送される転送装置。
【請求項２】
前記複数のインタフェースは、光パケットルータと通信するためのインタフェースを有し、
前記制御部は、
前記光パケットルータに第２の通信波長を割り当て、割り当てた第２の通信波長情報を記録し、
第１のユーザ端末が第３のユーザ端末のアドレス宛にデータを送る際に第１のユーザ端末から送信される、第３のユーザ端末のアドレスを含む問い合わせを受信し、
該問い合わせに含まれるアドレスが前記記憶領域に記憶されていない場合、前記光パケットルータに割り当てた第２の通信波長情報を第１のユーザ端末へ通知し、
第１のユーザ端末からの第２の通信波長の光信号を、前記光パケットルータへ光信号のまま転送するように前記スイッチを設定し、
第１のユーザ端末から送信される第２の通信波長の光信号が、設定された前記スイッチにより前記光パケットルータに光信号のまま転送され、該光パケットルータにより他のサブネットワークに属する第３のユーザ端末に転送される請求項１に記載の転送装置。
【請求項３】
前記複数のインタフェースは、光パケットルータと通信するためのインタフェースを有し、
前記制御部は、
第３のユーザ端末から該第３のユーザ端末のアドレスを受信し、
第３のユーザ端末に、該第３のユーザ端末が信号を受信するための第３の通信波長を割り当て、
前記光パケットルータに、受信された第３のユーザ端末のアドレスと、割り当てられた第３の通信波長情報を送信し、
前記光パケットルータからの第３の通信波長の光信号を、前記第３のユーザ端末へ光信号のまま転送するように前記スイッチを設定し、
前記光パケットルータで転送された他のサブネットワークに属するユーザ端末からの第３の通信波長の光信号が、設定された前記スイッチにより第３のユーザ端末に転送される請求項１又は２に記載の転送装置。
【請求項４】
前記制御部は、第２のユーザ端末が割り当てられた通信波長の光信号を受信するように設定するための、該通信波長情報を含む通知を、第２のユーザ端末に送信する請求項１乃至３のいずれかに記載の転送装置。
【請求項５】
前記制御部は、予め定められた制御用波長を用いて、第２のユーザ端末の論理アドレスを受信し、第１のユーザ端末からの問い合わせを受信し、及び、第１のユーザ端末へ通信波長情報を通知する請求項１乃至４のいずれかに記載の転送装置。
【請求項６】
前記第１又は第２のユーザ端末と前記第１又は第２の転送装置の切断を契機に、
前記第１又は第２の転送装置では、切断された前記第１又は第２のユーザ端末のインタフェース識別子とアドレスと通信波長情報を前記記憶領域から削除し、及び、前記スイッチの設定を解除する請求項１乃至５のいずれかに記載の光ネットワークシステム。
【請求項７】
前記制御部は、
前記第１のユーザ端末からの問い合わせに対し、取得された通信波長情報の有効期限をさらに通知し、
前記第１のユーザ端末から有効期限が切れる前に再度問い合わせを受信することで、該有効期限を延長し、
有効期限が切れると、前記記憶領域の該通信波長情報と、対応するインタフェース識別子及びアドレスを削除し、及び、前記スイッチの設定を解除する請求項１乃至６のいずれかに記載の転送装置。
【請求項８】
宛先アドレスに対応して通信波長情報を記録する記憶領域を有し、受信される光信号の宛先アドレスに基づき前記記憶領域を参照して通信波長情報を読み出し、受信された光信号の波長を該通信波長に変換する光パケットルータと、
光信号を転送する第１のスイッチを有し、第１のユーザ端末及び前記光パケットルータと通信する第１の転送装置と、
光信号を転送する第２のスイッチを有し、第２のユーザ端末及び前記光パケットルータと通信する第２の転送装置と
を備え、
前記第１の転送装置は、
前記光パケットルータに第１の通信波長を割り当て、割り当てた第１の通信波長情報を記録し、
第１のユーザ端末が第２のユーザ端末のアドレス宛にデータを送る際に第１のユーザ端末から送信される、第２のユーザ端末のアドレスを含む問い合わせを受信し、
該問い合わせに含まれるアドレスが記録されていないことにより、前記光パケットルータに割り当てた第１の通信波長情報を第１のユーザ端末へ通知し、
第１のユーザ端末からの第１の通信波長の光信号を、前記光パケットルータへ光信号のまま転送するように前記第１のスイッチを設定し、
前記第２の転送装置は、
第２のユーザ端末から該第２のユーザ端末のアドレスを受信し、
第２のユーザ端末に、該第２のユーザ端末が信号を受信するための第２の通信波長を割り当て、
前記光パケットルータに、受信された第２のユーザ端末のアドレスと、割り当てられた第２の通信波長情報を送信し、
前記光パケットルータからの第２の通信波長の光信号を、前記第２のユーザ端末へ光信号のまま転送するように前記第２のスイッチを設定し、
前記光パケットルータは、前記第２の転送装置から受信された第２のユーザ端末のアドレスと、第２の通信波長情報とを対応させて前記記憶領域に記憶し、
第１のユーザ端末から送信される第２のユーザ端末のアドレスを宛先アドレスとした第１の通信波長の光信号が、設定された前記第１のスイッチにより前記光パケットルータに光信号のまま転送され、
前記パケットルータが、受信した光信号の宛先アドレスに基づき前記記憶領域を参照して対応する第２の通信波長を取得し、受信した光信号の波長を取得した第２の通信波長に変換して、前記第２の転送装置に転送し、
該第２の通信波長の光信号が、設定された前記第２のスイッチにより第２のユーザ端末に光信号のまま転送される光ネットワークシステム。
【請求項９】
前記第１又は第２のユーザ端末と前記第１又は第２の転送装置の切断を契機に、
前記第１又は第２の転送装置では、切断された前記第１又は第２のユーザ端末のアドレスと通信波長情報を削除し、該アドレスと通信波長情報を前記光パケットルータへ通知し、
前記光パケットルータは前記第１又は第２の転送装置から通知された該アドレスと通信波長情報を、前記記憶領域から削除する請求項８に記載の光ネットワークシステム。
【発明の詳細な説明】
【技術分野】
【０００１】
本発明は、転送装置及び光ネットワークシステムに係り、特に、光信号を電気信号に変換することなく、光信号のままで高速転送を行う転送装置及び光ネットワークシステムに関する。
【背景技術】
【０００２】
近年、コアネットワークではＯＸＣ（Ｏｐｔｉｃａｌ  ｃｒｏｓｓ  Ｃｏｎｎｅｃｔ）技術を用いて、光の波長をもとに光信号を電気信号に変換することなく、光信号のまま転送を行うことが実用化されている。光のスイッチングには、マトリックススイッチ（非特許文献１参照）やＭＥＭＳ（Ｍｉｃｒｏ
Ｅｌｅｃｔｒｏ Ｍｅｃｈａｎｉｃａｌ
Ｓｙｓｔｅｍｓ）ミラースイッチが用いられる。光信号のままで転送する利点として、まず光信号から電気信号、電気信号から光信号へ変換のオーバヘッドがなくなるため高速転送、低遅延転送が可能となる。さらには、中継装置での上位プロトコル解釈が不要となるため、プロセッサやメモリなどの半導体技術、ＯＳなどの性能に転送速度が影響されなくなる。
【０００３】
さらにこれらＯＸＣ装置の光パス設定方法として、ＧＭＰＬＳ（Ｇｅｎｅｒａｌｉｚｅｄ  Ｍｕｌｔｉ−Ｐｒｏｔｏｃｏｌ  Ｌａｂｅｌ  Ｓｗｉｔｃｈｉｎｇ：非特許文献２参照）技術の標準化がすすめられている。ＧＭＰＬＳを用いたコアネットワークでは光パス設定をおこなう制御プレーンと、データを転送するデータプレーンに分かれている。このようなコアネットワークでは自律的な制御機能を持つため、運用の簡易化や、中継装置や経路上の障害発生時には高速に経路切り替えが可能となり、ネットワークの信頼性が向上するといわれている。また、有限である波長を用いて転送制御を行うため、波長の割付・変換方法の工夫（特許文献１、特許文献２参照）や、光バーストスイッチ技術（非特許文献３参照）の開発がすすめられている。
【０００４】
さらには、波長資源を気にすることなく、かつ光信号のままパケット単位の転送が可能となる光パケットルータの研究（特許文献３参照）が行われている。従来のルータはパケットをバッファリングするためのメモリをもち、パケットの情報を読み取り、転送制御や衝突回避を行っている。これに対し光パケットルータは、このメモリの代わりに遅延線や光スイッチを組み合わせることで、従来のルータと同等の転送制御機能を持ち、かつ高速転送が可能となる。
【０００５】
一方、アクセスネットワークではＰＯＮ（Ｐａｓｓｉｖｅ  Ｏｐｔｉｃａｌ  Ｎｅｔｗｏｒｋ）技術により光ファイバが一般ユーザのところまで敷設されるようになってきた。しかし、パケットの伝送媒体は光であるが、中継装置やＬＡＮ（Ｌｏｃａｌ  Ａｒｅａ  Ｎｅｔｗｏｒｋ）内では光信号を電気信号へ変換している。
【非特許文献１】「ＰＬＣを用いた小型１６×１６光マトリクススイッチ」、［ｏｎｌｉｎｅ］、ＮＴＴフォトニクス研究所、ｈｔｔｐ:／／ｗｗｗ．ｐｈｌａｂ．ｅｃｌ．ｎｔｔ．ｃｏ．ｊｐ／ｔｈｅｍｅ／２００６／２００６＿１１＿０２．ｐｄｆ
【非特許文献２】塩本公平、「ＧＭＰＬＳの概要と標準化動向」、［ｏｎｌｉｎｅ］、ＮＴＴ技術ジャーナル、ｈｔｔｐ:／／ｗｗｗ．ｎｔｔ．ｃｏ．ｊｐ／ｊｏｕｒｎａｌ／０４０４／ｆｉｌｅｓ／ｊｎ２００４０４０６０．ｐｄｆ
【非特許文献３】「光バーストＰＪの活動報告」、［ｏｎｌｉｎｅ］、情報通信研究機構、ｈｔｔｐ:／／ｗｗｗ．ｋｈｎ−ｏｐｅｎｌａｂ．ｊｐ／ｓｙｍｐｏｓｉｕｍ／２００４／ｒｅｐｏｒｔ／１＿３．ｐｄｆ
【特許文献１】特開２００６−２８７７７８号公報
【特許文献２】特開２００５−２８６４８３号公報
【特許文献３】特開２００７−２００１７号公報
【発明の開示】
【発明が解決しようとする課題】
【０００６】
アクセスネットワークにおいて、コアネットワークと同様に光信号を電気信号に変換することなく光信号のまま転送するために、上述のＯＸＣ装置を用いた場合、まずユーザ端末がＧＭＰＬＳ技術を実装する必要がある。また、ユーザ端末が増加すると、転送制御用のデータも増加するため、制御プレーンが輻輳しデータプレーンで正常転送が行えない可能性がある。
【０００７】
ＯＸＣ装置での上記課題を避けるために、ユーザ端末側に一番近いエッジ転送装置として、上述の光パケットルータを用い、光パケットルータがＧＭＰＬＳを終端することで転送制御用データの増加を抑えられる。しかしこの場合、高度な技術を必要とする光パケットルータの数が増え、ネットワーク構築にコストがかかる。
【０００８】
本発明は、以上の点に鑑み、コアネットワークで行われる手段より比較的簡潔な手段を用いて、ユーザ端末への負担とネットワーク構築のコストを抑え、アクセスネットワークにおいても光信号を電気信号へ変換することなく光信号のままの転送を実現する転送装置及び光ネットワークシステムを提供することを目的とする。さらに、本発明は、コアネットワークとの互換性を持たせることで、ユーザ端末のＥｎｄ  ｔｏ  Ｅｎｄで、すべて光信号のままでの通信を可能にする転送装置及び光アクセスネットワークシステムを提供することを目的のひとつとする。
【０００９】
本発明は、光信号のまま転送するコアネットワークと接続することで、コアネットワークを介したユーザ端末間での通信がすべて光信号のままとし、高速転送が可能となり今後のネットワーク上のトラヒック増大に対応可能とすることを目的のひとつとする。また、本発明は、ある宛先と継続して通信をする場合、転送装置での遅延を従来より減らし、低遅延転送が必要となるＩＰ電話、テレビ電話、リアルタイム放送などのサービスが高品質で提供することを目的のひとつとする。
【課題を解決するための手段】
【００１０】
ユーザ端末の回線インタフェースに、送信時にはテーブルをもとに宛先アドレスによって送信波長を制御し、受信時にはユーザ端末が接続される転送装置から通知を受けた波長にしたがってスイッチを設定し受信波長を決める機能を持たせる。転送装置では、ユーザ端末の受信波長の割り当てと管理を行うテーブルをもとにスイッチを設定する機能を持たせる。
【００１１】
ユーザ端末と転送装置が光ケーブルで接続され、レイヤ１のリンクアップを契機に、ユーザ端末は予め予約されている制御用波長を用いて自ユーザ端末に設定されているアドレスを転送装置に通知する。転送装置はその通知から、インタフェースに接続されたユーザ端末のアドレスを把握し、テーブルで管理し、ユーザ端末ごとに受信用波長を割り当て、予め予約された制御用波長を用いてユーザ端末へ通知する。ユーザ端末ではその波長で受信できるようにスイッチ（又はセレクタ）を設定する。以上の手順でユーザ端末の受信準備が完了する。
【００１２】
ユーザ端末がある宛先に対してデータを送る場合、制御用波長を用いてその宛先アドレスに対応した波長を転送装置に問い合わせる。転送装置では前記のとおりユーザ端末が接続された時点で、ユーザ端末のアドレスを把握し、そのアドレスに対応した波長をテーブルで管理している。そのテーブルを基に、制御用波長を用いて問い合わせのあったアドレスに対応する波長をユーザ端末へ通知する。同時に、転送装置では、問い合わせ元のユーザ端末から通知した波長の信号を受信した場合に、その波長の信号が対応するインタフェースへ転送できるようにスイッチの設定をする。通知を受けたユーザ端末は宛先のアドレスと波長を対応づけテーブルで管理する。ユーザ端末はそのテーブルを基に送信波長を制御し、データを送信する。データは転送装置に入力されると、転送装置では問い合わせの時点でスイッチの設定がされているため、光信号のまま転送される。以上の手順でユーザ端末からの光信号を、光信号のまま転送することが可能となる。
【００１３】
コアネットワークを介した通信の場合には、コアネットワークを光パケットルータで構成し、その光パケットルータと転送装置を接続し、転送装置とユーザ端末を接続する。光パケットルータと転送装置が接続され、レイヤ１のリンクアップを契機に、光パケットルータは予め予約された制御用波長を用いて、アドレスとルータであることを転送装置へ通知する。通知を受信した転送装置では光パケットルータ宛の波長を割り当て、アドレスと接続されたのがルータであることをテーブルへ記録する。前記と同様に、ユーザ端末が転送装置に接続され、レイヤ１のリンクアップを契機にユーザ端末からアドレス通知を転送装置が受信すると波長を割り当て、テーブルを更新し、光パケットルータが接続されている場合には光パケットルータへそのテーブル情報を制御用波長を用いて通知する。光パケットルータではそのテーブル情報から、接続された転送装置の先に接続されたユーザ端末のアドレスと波長を把握することができる。光パケットルータはアドレスと波長を対応づけたテーブルを管理し、転送装置からテーブル情報を受信するたびにテーブルを更新する。
【００１４】
ユーザ端末からの問い合わせ時に、転送装置で管理するテーブルにアドレスが存在しなかった場合、光パケットルータのアドレスとして登録されているアドレスに対応した波長をユーザ端末へ通知する。同時に、転送装置では、ユーザ端末からその波長を受信した場合に光パケットルータが接続されているインタフェースへ転送できるようにスイッチを設定する。ユーザ端末がルータ宛の波長でデータを送信し、転送装置に入力されると、光信号のまま光パケットルータへ転送される。データを受信した光パケットルータでは、データに付与された宛先アドレスを読み出し、管理するテーブル上で対応する波長へ変換し、転送する。以上の手順で、ユーザ端末から転送装置、転送装置から光パケットルータ、光パケットルータから他の転送装置、他の転送装置からユーザ端末へ光信号のままデータ転送が可能となる。
【００１５】
また、転送装置がユーザ端末へ割り当てる送信波長に有効期限を設定し、その有効期限をユーザ端末、転送装置それぞれで監視し、ユーザ端末は継続してデータを送信したい場合には、有効期限が切れる前に再度送信波長を問い合わせることで、有効期限を延長する。ユーザ端末が継続してデータ送信が必要でない場合、有効期限のタイムアウトを契機に、ユーザ端末ではテーブルが初期化され、転送装置ではスイッチの該当するパス設定が解除される。これによって、転送装置の使用していない無駄なスイッチパス設定を動的に解除することが可能となる。
【００１６】
本発明の第１の解決手段によると、
ユーザ端末からの光信号を光信号のまま転送する転送装置であって、
第１及び第２のユーザ端末と通信するための複数のインタフェースと、
前記ユーザ端末が信号を受信するための通信波長を割り当てる制御部と、
インタフェース識別子と、前記ユーザ端末のアドレスと、割り当てられる通信波長情報を記録する記憶領域と、
前記制御部による設定に従い、前記インタフェースのひとつから受信した光信号を光信号のまま他の前記インタフェースへ転送するスイッチと、
を備え、
前記制御部は、
第２のユーザ端末から該第２のユーザ端末のアドレスを受信し、
第２のユーザ端末に、該第２のユーザ端末が信号を受信するための通信波長を割り当て、該第２のユーザ端末が接続されたインタフェース識別子と、受信されたアドレスと、割り当てた通信波長情報を前記記憶領域へ記録し、
第１のユーザ端末が第２のユーザ端末のアドレス宛にデータを送る際に第１のユーザ端末から送信される、第２のユーザ端末のアドレスを含む問い合わせを受信し、
該問い合わせに含まれるアドレスに基づき前記記憶領域を参照して対応するインタフェース識別子及び通信波長情報を取得し、
第１のユーザ端末が接続された前記インタフェースからの該通信波長の光信号を、取得されたインタフェース識別子が示す前記インタフェースへ光信号のまま転送するように前記スイッチを設定し、
取得された通信波長情報を第１のユーザ端末へ通知し、
該通知に従い第１のユーザ端末から送信される該通信波長の光信号が、設定された前記スイッチにより第２のユーザ端末が接続された前記インタフェースに光信号のまま転送される転送装置が提供される。
【００１７】
本発明の第２の解決手段によると、
宛先アドレスに対応して通信波長情報を記録する記憶領域を有し、受信される光信号の宛先アドレスに基づき前記記憶領域を参照して通信波長情報を読み出し、受信された光信号の波長を該通信波長に変換する光パケットルータと、
光信号を転送する第１のスイッチを有し、第１のユーザ端末及び前記光パケットルータと通信する第１の転送装置と、
光信号を転送する第２のスイッチを有し、第２のユーザ端末及び前記光パケットルータと通信する第２の転送装置と
を備え、
前記第１の転送装置は、
前記光パケットルータに第１の通信波長を割り当て、割り当てた第１の通信波長情報を記録し、
第１のユーザ端末が第２のユーザ端末のアドレス宛にデータを送る際に第１のユーザ端末から送信される、第２のユーザ端末のアドレスを含む問い合わせを受信し、
該問い合わせに含まれるアドレスが記録されていないことにより、前記光パケットルータに割り当てた第１の通信波長情報を第１のユーザ端末へ通知し、
第１のユーザ端末からの第１の通信波長の光信号を、前記光パケットルータへ光信号のまま転送するように前記第１のスイッチを設定し、
前記第２の転送装置は、
第２のユーザ端末から該第２のユーザ端末のアドレスを受信し、
第２のユーザ端末に、該第２のユーザ端末が信号を受信するための第２の通信波長を割り当て、
前記光パケットルータに、受信された第２のユーザ端末のアドレスと、割り当てられた第２の通信波長情報を送信し、
前記光パケットルータからの第２の通信波長の光信号を、前記第２のユーザ端末へ光信号のまま転送するように前記第２のスイッチを設定し、
前記光パケットルータは、前記第２の転送装置から受信された第２のユーザ端末のアドレスと、第２の通信波長情報とを対応させて前記記憶領域に記憶し、
第１のユーザ端末から送信される第２のユーザ端末のアドレスを宛先アドレスとした第１の通信波長の光信号が、設定された前記第１のスイッチにより前記光パケットルータに光信号のまま転送され、
前記パケットルータが、受信した光信号の宛先アドレスに基づき前記記憶領域を参照して対応する第２の通信波長を取得し、受信した光信号の波長を取得した第２の通信波長に変換して、前記第２の転送装置に転送し、
該第２の通信波長の光信号が、設定された前記第２のスイッチにより第２のユーザ端末に光信号のまま転送される光ネットワークシステムが提供される。
【発明の効果】
【００１８】
本発明によると、コアネットワークで行われる手段より比較的簡潔な手段を用いて、ユーザ端末への負担とネットワーク構築のコストを抑え、アクセスネットワークにおいても光信号を電気信号へ変換することなく光信号のままの転送を実現する光ネットワークシステムを提供することができる。さらに、本発明によると、コアネットワークとの互換性を持たせることで、ユーザ端末のＥｎｄ  ｔｏ  Ｅｎｄで、すべて光信号のままでの通信を可能にするアクセスネットワークシステムを提供することができる。
【００１９】
本発明によると、光信号のまま転送するコアネットワークと接続することで、コアネットワークを介したユーザ端末間での通信がすべて光信号のままとなるため、高速転送が可能となり今後のネットワーク上のトラヒック増大に対応できる。また、本発明によると、ある宛先と継続して通信をする場合、転送装置での遅延が従来より減らせるため、低遅延転送が必要となるＩＰ電話、テレビ電話、リアルタイム放送などのサービスが高品質で提供できるようになる。
【発明を実施するための最良の形態】
【００２０】
以下、本実施の形態を適宜図面を用いて説明する。
１．システム構成
図１に、本実施の形態のネットワーク構成図を示す。
本光ネットワークシステムは、コアネットワーク（ＣＮ）に光パケットルータ（２００〜２０３）を備え、アクセスネットワーク（ＡＮ）に転送装置（１００）を備える。アクセスネットワーク（ＡＮ−Ａ、ＡＮ−Ｂ）では、例えば、ユーザ端末（１０−Ａ１〜１０−Ｂ３）は転送装置（１００、１０１）に接続される。ユーザ端末（１０−Ａ１〜１０−Ｂ３）は転送装置（１００、１０１）介してコアネットワーク（ＣＮ）に接続される。
【００２１】
図２に、ユーザ端末の回線部の構成例を示す。
ユーザ端末（１０）の回線部は、例えば、回線制御部（１０−１）、データ光受信部（１０−２）、制御光受信部（１０−３）、スイッチ（１０−４）、光送信部（１０−５）、分波部（１０−６）、合波・分波部（１０−７）及びメモリ（１０−２０）を有する。また、スイッチ制御バス（１０−９）、内部バス（１０−１９）、送信波長制御バス（１０−８）を有する。メモリ（１０−２０）は、第１のテーブル（記憶領域、１０−２１）を有する。
【００２２】
転送装置（１００、１０１）から光信号（１０−１１）を受信すると、分波部（１０−７）により受信信号（１０−１２）が取り出される。受信信号（１０−１２）はさらに分波部（１０−６）でデータ光信号（１０−１３）と制御光信号（１０−１４）に振り分けられる。制御光受信部（１０−３）では制御光信号（１０−１４）を電気信号（１０−１０）に変換して回線制御部（１０−１）に転送する。回線制御部（１０−１）がその情報を基に、自宛の波長を認識し、スイッチ制御バス（１０−９）を介しスイッチ（１０−９）を制御することで、自宛の光信号（１０−１５）がデータ光受信部（１０−２）へ転送される。データ光受信部（１０−２）では光信号を電気信号（１０−１６）へ変換し、ユーザ端末内部へ転送する。
【００２３】
ユーザ端末からの送信時には、ユーザ端末内部から内部バス（１０−１９）を介してＩＰアドレスを回線制御部（１０−１）へ通知する。回線制御部ではメモリ（１０−２０）に格納された第１のテーブル（１０−２１）をもとに、送信波長制御バス（１０−１８）を介して光送信部（１０−５）を制御する。光送信部（１０−５）では電気信号（１０−１７）を光信号（１０−１８）へ変換する。光信号（１０−１８）は合波部（１０−７）で合波され、転送装置（１００、１０１）へ送信される（１０−１１）。
【００２４】
なお、本実施例では、ユーザ端末（１０−Ａ１〜１０〜Ｂ３）と転送装置（１００、１０１）間は単芯ファイバで接続し、送受で違う波長を使用することを想定しているが、二芯ファイバで接続した場合には、送受で同じ波長を用いることができ、合波・分波部（１０−７）が不要となる。
【００２５】
図３に、転送装置の構成例を示す。
転送装置は、例えば、合波・分波部（１００−１）と、スイッチ（１００−２）と、制御光受信部（１００−３）と、制御光送信部（１００−４）と、制御部（１００−５）と、メモリ（１００−１３）とを有する。メモリ（１００−１３）は、第２のテーブル（記憶領域、１００−１４）を有する。
【００２６】
ユーザ端末（１０−Ａ１〜１０−Ｂ３）からの制御光信号（１００−６）は、分波部（１００−１）でデータ光信号（１００−７）と制御光信号（１００−８）に分波される。制御光信号（１００−８）は制御光受信部（１００−３）で電気信号（１００−１０）へ変換され制御部（１００−５）に転送される。逆に、転送装置（１００、１０１）からユーザ端末（１０−Ａ１〜１０−Ｂ３）へ制御光信号（１００−６）を送信する場合は、制御部（１００−５）から電気信号（１００−１１）を制御光送信部（１００−４）で光信号（１００−９）へ変換し、合波部（１００−１）で合波され送信される。
【００２７】
制御部（１００−５）はメモリ（１００−１３）に格納された第２のテーブル（１００−１４）を基に制御バス（１００−１２）でスイッチ（１００−２）を設定し、データ光信号（１００−７）はその設定をもとに、例えば波長ごとにスイッチングされる。インタフェースごとに構成に差分はない。スイッチ（１００−２）は、例えばＯＸＣで用いられるマトリックススイッチで構成されることができる。
【００２８】
図４に、光パケットルータ（２００〜２０３）の概略構成図を示す。
なお、光パケットルータの詳細構成については、適宜のものを用いることができるため、詳細な説明は省略し、本実施の形態に関連する箇所を説明する。転送装置（１００、１０１）から制御用の光信号（２００−４）を受信すると、光信号処理部（２００−１）にて電気信号に変換され、データを読み取りその情報をメモリ（２００−２）に格納される第３のテーブル（２００−３）を更新する。その他の光信号（２００−４）を受信した場合には、その第３のテーブル（記憶領域、２００−３）情報をもとに光信号処理部（２００−１）にて波長変換し送信する。なお、動作については後述する。
【００２９】
２．ＬＡＮにおけるユーザ端末間通信
２．１  システム構成例
図５に、ＬＡＮにおける、ユーザ端末（１０−Ａ１）から、転送装置（１００）を介してユーザ端末（１０−Ａ３）へデータを送信する場合のネットワーク構成を示す。
ユーザ端末（１０−Ａ１〜１０−Ａ３）にはＩＰアドレス１９２．１６８．１．１〜３が予め設定されている。転送装置（１００）の各インタフェース（ＩＦ＃１〜３）にはそれぞれユーザ端末（１０−Ａ１〜１０−Ａ３）が接続される。
【００３０】
図６に、転送装置（１００、１０１）の制御部（１００−５）が持つ第２のテーブル（１００−１４）の一例を示す。
第２のテーブル（１００−１４）は、インタフェース番号（ＩＦ＃、１００−１４−１）、波長情報（通信波長情報、１００−１４−２）、ＩＰアドレス（１００−１４−３）が対応して記憶される。転送装置（１００、１０１）は、どのインタフェースにどのＩＰアドレス（１００−１４−３）を持つユーザ端末（１０−Ａ１〜１０−Ｂ３）がいるかを把握し、ユーザ端末（１０−Ａ１〜１０−Ｂ３）からの宛先問い合わせに対し、第２のテーブル（１００−１４）をもとに宛先ＩＰアドレス（１００−１４−３）に対応した波長（１００−１４−２）をユーザ端末（１０−Ａ１〜１０−Ｂ３）に通知する。また第２のテーブル（１００−１４）をもとにスイッチ（１００−２）を設定する。
【００３１】
図７に、ユーザ端末（１０−Ａ１〜１０−Ｂ３）が持つ第１のテーブル（１０−２１）の一例を示す。
第１のテーブル（１０−２１）は宛先ＩＰアドレス（１０−２１−１）に対応して、その宛先へデータを送るための送信波長（１０−２１−２）が記憶される。転送装置（１００、１０１）からの情報をもとに第１のテーブル（１０−２１）を更新し、送信時には宛先ＩＰアドレス（１０−２１−１）に対応する送信波長（１０−２１−２）を用いて送信する。
【００３２】
２．２  動作
図９に、ＬＡＮにおけるユーザ端末通信のシーケンス図を示す。
例えば、ユーザ端末（１０−Ａ１〜１０−Ａ３）が転送装置（１００）にケーブルを接続し、ユーザ端末（１０−Ａ１）からユーザ端末（１０−Ａ３）へデータを送信、その後ユーザ端末（１０−Ａ１）と転送装置（１００）間がリンクダウンとなるまでの動作シーケンスを示す。なお、以下の説明において、波長λｍ１、λｍ２はユーザ端末（１０−Ａ１、１０−Ｂ１）と転送装置（１００、１０１）間、転送装置（１００、１０１）と光パケットルータ（２００）間で送受信の波長情報をやりとりするために予め決められた制御光信号用の波長（制御波長）である。
【００３３】
図５に示す、ＬＡＮの構成において、ユーザ端末間での通信を図９のシーケンス図を用いて説明する。ユーザ端末（１０−Ａ１）が転送装置（１００）のインタフェース＃１に光ファイバで接続し、レイヤ１のリンクアップとなる（ＳＱ１−１）。他のユーザ端末（１０−Ａ２、１０−Ａ３）も同様に転送装置（１００）のインタフェース＃２、＃３に接続し、レイヤ１でリンクアップとなる（ＳＱ１−２、ＳＱ１−３）。リンクアップ後、ユーザ端末（１０−Ａ１〜１０−Ａ３）の回線制御部（１０−１）が光送信部（１０−５）を制御して、予め決められた波長λｍ１に設定し、ユーザ端末（１０−Ａ１〜１０−Ａ３）から、ユーザ端末（１０−Ａ１〜１０−Ａ３）に設定されているＩＰアドレス（１９２．１６８．１．１〜３）を、波長λｍ１を用いて、転送装置（１００）に通知する（ＳＱ１−４〜ＳＱ１−６）。
【００３４】
通知を受信した転送装置（１００）では、波長λｍ１の光信号は送受信光信号合波・分波部（１００−１）にて分波され制御光受信部（１００−３）で電気信号へと変換される。制御部（１００−５）が、変換されたデータからどのインタフェースにいくつのＩＰアドレスを持つユーザ端末が接続されたかを認識し、そのＩＰアドレスごとに波長（通信波長）を割り当て、メモリ（１００−１３）に格納されている第２のテーブル（１００−１４）に、ＩＦ＃と、割り当てた波長と、受信したＩＰアドレスとを記録する（ＳＱ１−７、図６）。
【００３５】
割り付けた波長（１００−１４−２）情報を制御光送信部（１００−４）にて光信号に変換し送受信光信号合波・分波部（１００−１）で合波され、各ユーザ端末（１０−Ａ１〜１０−Ａ３）へ、波長λｍ２を用いて通知する（ＳＱ１−８〜ＳＱ１−１０）。その通知を受信したユーザ端末（１０−Ａ１〜１０−Ａ３）では、波長λｍ２の光信号は、まず送受信光信号合波・分波部（１０−７）で分波され、さらに受信光信号分波部（１０−６）で分波され、制御光受信部（１０−３）にて電気信号へ変換される。そのデータから回線制御部（１０−１）はユーザ端末（１０−Ａ１〜１０−Ａ３）が受信する波長（１００−１４−２）を認識し、スイッチ（１０−４）を制御し、その波長（１００−１４−２）の光信号を受信できるようにする（ＳＱ１−１１〜ＳＱ１−１３）。例えば、通知された波長の光がデータ光受信部（１０−２）に入力されるようにする。ユーザ端末（１０−Ａ３）においては、波長λａ３の信号が受信できるようになる。
【００３６】
次に、ユーザ端末（第１のユーザ端末、１０−Ａ１）がＩＰアドレス１９２．１６８．１．３のユーザ端末（第２のユーザ端末、１０−Ａ３）へデータを送信する場合、どの波長を使えばデータが届くかを知るために転送装置（１００）へ波長λｍ１を用いて問い合わせを行う（ＳＱ１−１４）。なお、この問い合わせは、例えば、ユーザ端末（１０−Ａ３）のＩＰアドレス１９２．１６８．１．３を含む。その問い合わせを受信した転送装置（１００）は、制御部（１０−５）が第１のテーブル（１０−２１）を参照し（ＳＱ１−１５）、ＩＰアドレス（１００−１４−３）１９２．１６８．１．３に対応する波長情報（１００−１４−２）λａ３を取得し、波長λｍ２を用いてユーザ端末（１０−Ａ１）へ通知する（ＳＱ１−１６）。転送装置（１００）では、ＩＦ＃１から波長λａ３の光信号を受信した場合に、ＩＦ＃３へ転送できるように制御部（１００−５）がスイッチ（１００−２）を設定する（ＳＱ１−１７）。送信波長通知（ＳＱ１−１６）を受信したユーザ端末（１０−Ａ１）では、回線制御部（１０−１）が第１のテーブル（１０−２１）を更新する（ＳＱ１−１８、図７）。例えば、ＩＰアドレスに対応して受信した波長情報λａ３を記憶する。
【００３７】
ユーザ端末（１０−Ａ１）は、更新した第１のテーブル（１０−２１）を参照し、制御部（１０−２１）が光送信部（１０−５）を制御し送信波長をλａ３に設定する。このことで、ユーザ端末内からの電気信号（１０−１７）は波長λａ３の光信号で送信される（ＳＱ１−１９）。転送装置（１００）では、インタフェース＃１に入力された波長λａ３の光信号は、まず送受信光信号合波・分波部（１００−１）で分波され、スイッチ（１００−２）に入る。スイッチ（１００−２）では予め、インタフェース＃３へ出力されるように設定さている（ＳＱ１−１７）ため、ＩＦ＃３の送受信光信号合波・分波部（１００−１）で合波され、データはユーザ端末（１０−Ａ３）へ転送される（ＳＱ−１９）。
【００３８】
また、ユーザ端末（１０−Ａ１）と転送装置（１００）のレイヤ１リンクダウン（ＳＱ１−２０）を契機に、ユーザ端末（１０−Ａ１）では送信用の波長第１のテーブル（１０−２１）を初期化し（ＳＱ１−２２）、転送装置（１００）では第２のテーブル（１００−１４）からＩＦ＃（１００−１４−１）が＃１の情報を削除する（ＳＱ１−２１）。さらに転送装置（１００）では設定していた（ＳＱ１−１７）スイッチ（１００−２）の設定を解除する（ＳＱ１−２３）。
【００３９】
３．サブネットワークをまたぐユーザ端末間通信
３．１  システム構成例
図８に、１９２．１６８．１．０のサブネットワークＡに属するユーザ端末（１０−Ａ１）から、１９２．１６８．２．０サブネットワークＢに属するユーザ端末（１０−Ｂ１）へデータを送信する場合のネットワーク構成を示す。
【００４０】
図８は、説明を分かりやすくするため、図１を簡略化したものである。サブネットワークＡでは、転送装置（１００）のインタフェース＃１にＩＰアドレス１９２．１６８．１．１のユーザ端末（１０−Ａ１）が接続され、インタフェース＃４は光パケットルータ（２００）のＩＰアドレス１９２．１６８．１．２００が設定されたポートに接続される。同様に、サブネットワークＢでは転送装置（１０１）のインタフェース＃１にＩＰアドレス１９２．１６８．２．１のユーザ端末（１０−Ｂ１）が接続され、インタフェース＃４は光パケットルータ（２００）のＩＰアドレス１９２．１６８．２．２００が設定されたポートに接続される。
【００４１】
図１０、図１３に、図８の例において転送装置（１００、１０１）が持つ第２のテーブル（１００−１４）の一例を示す。テーブルの構成は図６と同じである。
図１１に、図８の例においてユーザ端末（１０−Ａ１）が持つ第１のテーブル（１０−２１）の一例を示す。第１のテーブル（１０−２１）の構成は図７と同じである。
図１２に、図８の例において光パケットルータ（２００）が持つ第３のテーブル（２００−３）の一例を示す。宛先ＩＰアドレス（２００−３−１）、そのＩＰアドレスに対応する送信波長（２００−３−２）、接続されるＩＦ＃（２００−３−３）が対応して記憶される。
【００４２】
３．２  動作
図１４に、サブネットワークをまたぐユーザ端末間通信のシーケンス図を示す。
例えば、転送装置（１００、１０１）にユーザ端末（１０−Ａ１、１０−Ｂ１）、光パケットルータ（２００）がケーブルで接続され、ユーザ端末（１０−Ａ１）からユーザ端末（１０−Ｂ１）へデータを送信、その後ユーザ端末（１０−Ａ１）と転送装置（１００）間がリンクダウンとなるまでの動作シーケンスである。
【００４３】
図８に示す、ネットワーク構成において、ユーザ端末間での通信を図１４のシーケンス図を用いて説明する。光パケットルータ（２００）と転送装置（１００、１０１）が接続されレイヤ１でリンクアップ（ＳＱ２−１、ＳＱ２−２）すると、光パケットルータ（２００）は光信号処理部（２００−１）が転送装置（１００、１０１）に対して、予め決められた波長λｍ１を用いてＩＰアドレスとルータであることを通知する（ＳＱ２−３、ＳＱ２−４）。通知を受信した転送装置（１００、１０１）は第２のテーブル（１００−１４）を更新する（ＳＱ２−５、ＳＱ２−６）。このとき転送装置（１００、１０１）は光パケットルータ宛の波長λｒａ１、λｒｂ１を割り当て、第２のテーブル（１００−１４）にルータのＩＰアドレスであることを記憶する（図１０−（１）、図１３−（１））。
【００４４】
次に、ユーザ端末（１０−Ａ１、１０−Ｂ１）が転送装置（１００、１０１）に接続されると、レイヤ１のリンクアップ（ＳＱ２−７、ＳＱ２−８）を契機にユーザ端末（１０−Ａ１、１０−Ｂ１）が波長λｍ１を用いてＩＰアドレスを通知する（ＳＱ２−９、ＳＱ２−１０）。通知を受信した転送装置（１００、１０１）はユーザ端末（１０−Ａ１、１０−Ｂ１）に波長λａ１、λｂ１を割り当て、第２のテーブル（１００−１４）を更新し（ＳＱ２−１１、図１０−（２）、ＳＱ２−１２、図１３−（２））、その波長（１００−１４−２）を波長λｍ２を用いて、ユーザ端末に通知する（ＳＱ２−１３、ＳＱ２−１４）。また、配下に接続されたユーザ端末（１０−Ａ１、１０−Ｂ１）のＩＰアドレス（１００−１４−３）と対応する波長（１００−１４−２）の情報を光パケットルータ（２００）へ送信する（ＳＱ２−１５、ＳＱ２−１６）。さらに、転送装置（１００、１０１）は、この時点でユーザ端末（１０−Ａ１、１０−Ｂ１）からの波長λｒａ１、λｒｂ１の光信号は光パケットルータ（２００）へ、光パケットルータ（２００）からの波長λａ１、λｂ１の光信号はユーザ端末（１０−Ａ１、１０−Ｂ１）へ転送されるようにスイッチ（１００−２）の設定をする。
【００４５】
一方、受信波長通知（ＳＱ２−１３、ＳＱ２−１４）を受信したユーザ端末（１０−Ａ１、１０−Ｂ１）は、その波長で受信できるようにスイッチ（１０−４）を設定する（ＳＱ２−１９、ＳＱ２−２０）。テーブル情報（ＳＱ２−１５、ＳＱ２−１６）を受信した光パケットルータ（２００）は、光信号処理部（２００−１）がメモリ（２００−２）に格納された第３のテーブル（２００−３）を更新する（ＳＱ２−２１、図１２）。例えば、光パケットルータ（２００）は、受信した端末のＩＰアドレス、波長をＩＦ＃に対応して記憶する（図１２）。
【００４６】
次に、ユーザ端末（１０−Ａ１）が、ユーザ端末（１０−Ｂ１）のＩＰアドレス１９２．１６８．２．１宛てにデータを送信する場合、まずユーザ端末（１０−Ａ１）が波長λｍ１を用いて送信波長を転送装置（１００）へ問い合わせる（ＳＱ２−２２）。この問い合わせは、例えばユーザ端末（１０−Ｂ１）のＩＰアドレス１９２．１６８．２．１を含む。転送装置（１００）は第２のテーブル（１００−１４）を参照し（ＳＱ２−２、図１０）、対応するＩＰアドレスが第２のテーブル（１００−１４）にない場合、ルータとして記憶されている波長（λｒａ１）を送信波長として波長λｍ２を用いてユーザ端末（１０−Ａ１）へ通知する（ＳＱ２−２４）。通知を受信したユーザ端末（１０−Ａ１）は、ＩＰアドレス１９２．１６８．２．１に対応する送信波長はλｒａ１と認識し、第１のテーブル（１０−２１）を更新する（ＳＱ２−２５、図１１）。
【００４７】
ユーザ端末（１０−Ａ１）が第１のテーブル（１０−２１）に記録された波長（λｒａ１）でデータを送信すると（ＳＱ２−２６）、転送装置（１００）では光パケットルータ（２００）へそのまま転送される。光パケットルータ（２００）はデータを受信すると、光信号処理部（２００−１）がデータから宛先ＩＰアドレス読み出し、第３のテーブル（２００−３）を参照し（ＳＱ２−２７）対応する波長（λｂ１）へ波長変換し転送装置（１０１）へ送信する（ＳＱ２−２８）。転送装置（１０１）が波長λｂ１のデータを受信すると、上述のようにスイッチがすでに設定されているため、そのままユーザ端末（１０−ｂ１）へ転送される。
【００４８】
また、ユーザ端末（１０−Ａ１）と転送装置（１００）間のレイヤ１のリンクダウン（ＳＱ２−２９）を契機に、ユーザ端末（１０−Ａ１）は第１のテーブル（１０−２１）を初期化（ＳＱ２−３０）し、転送装置（１００）は第２のテーブル（１００−１４）からインタフェース＃１に対応する情報を削除する（ＳＱ２−３１）。転送装置（１００）は更新したテーブル情報を、波長λｍ２を用いて光パケットルータ（２００）へ送信し（ＳＱ２−３２）、スイッチ（１００−２）の設定を解除する（ＳＱ２−３４）。テーブル情報を受信した光パケットルータ（２００）は、転送装置（１００）の配下からユーザ端末（１０−Ａ１）が切り離されたと判断し、第３のテーブル（２００−３）からユーザ端末（１０−Ａ１）の情報を削除する（ＳＱ２−３３）。このとき転送装置（１００）に接続されているのが光パケットルータ（２００）ではなく、ユーザ端末（１０Ａ−１〜１０−Ｂ３）であっても同様に動作する。
【００４９】
４．転送装置のスイッチパス設定解除
４．１  システム構成例
図１５に、転送装置（１００）が管理するスイッチパス設定テーブルの一例を示す。スイッチパス設定テーブルは、メモリ（１００−１３）に記憶されることができる。
情報は、どのインタフェースとどのインタフェースを接続しているかを示すパス（１００−１４−４）、そのパス上を通る信号の波長（１００−１４−５）、そのパス（又は波長）の有効期限（１００−１４−６）が対応して記憶される。
図１６に、ユーザ端末（１０−Ａ１）が管理する、有効期限つき第１のテーブル（１０−２１）の一例を示す。図７の構成に有効期限（１０−２１−３）を追加したものである。
【００５０】
４．２  動作
図１７に、転送装置のスイッチパス設定解除のシーケンス図を示す。
例えば、使用しなくたったユーザ端末（１０−Ａ１）の送信波長をユーザ端末（１０−Ａ１）の管理する第１のテーブル（１０−２１）から削除し、転送装置（１００）のスイッチ（１００−２）の設定を解除する動作シーケンスである。上述の例では、転送装置のスイッチは予め設定されているため、端末が別の端末と通信しようとする場合には、スイッチの設定を解除する必要がある。
【００５１】
図５において、使用しなくたったユーザ端末（１０−Ａ１）の送信波長をユーザ端末（１０−Ａ１）の管理する第１のテーブル（１０−２１）から削除し、同時に転送装置（１００）のスイッチ（１００−２）の設定を解除する動作を、図１７のシーケンス図を用いて説明する。
【００５２】
レイヤ１のリンクアップから、ユーザ端末（１０−Ａ１〜１０−Ａ３）の受信設定完了まで（ＳＱ３−１〜ＳＱ３−１３）は図９と同じなので、説明を省略する。ユーザ端末（１０−Ａ１）が、ユーザ端末（１０−Ａ３）のＩＰアドレス１９２．１６８．１．３にデータを送るために、波長λｍ１を用いて転送装置へ問い合わせを行う（ＳＱ３−１４）。転送装置（１００）は、第２のテーブル（１００−１４）を参照し（ＳＱ３−１５）波長λｍ２を用いて、送信波長（例えば、λａ３）とその送信波長の有効期限（例えば、１００ｓ）を通知する（ＳＱ３−１６）。また、上述と同様にスイッチ（１００−２）を設定し（ＳＱ３−１７）、そのスイッチパス設定テーブル（１００−１４）に、設定したパスの情報、波長、有効期限（１００−１４−６）をセットし（図１５）、タイマをスタートさせる（ＳＱ３−１９）。
【００５３】
一方、通知を受けたユーザ端末（１０−Ａ１）は、第１のテーブル（１０−２１）を更新し（ＳＱ３−１８）、宛先のＩＰアドレスに対応して送信波長と通知された有効期限（１０−２１−３）をセットし（図１６）、タイマをスタートさせる（ＳＱ３−２０）。ユーザ端末（１０−Ａ１）は、第１のテーブル（１０−２１）を基にデータを送信する（ＳＱ３−２１）。ユーザ端末（１０−Ａ１）は、継続してＩＰアドレス１９２．１６８．１．３に対してデータを送信する（ＳＱ３−２８）場合、タイムアウトになる前に（有効期限が経過する前に）波長λｍ１を用いて転送装置（１００）に送信波長の問い合わせを行う（ＳＱ３−２２）。転送装置（１００）は問い合わせに対して、前回の問い合わせ（ＳＱ３−１４）と同様に第２のテーブル（１００−１４）を参照し（ＳＱ３−２３）、送信波長と有効期限を波長λｍ２で通知する（ＳＱ３−２４）。このとき、スイッチパス設定テーブル（１００−１４）にすでにスイッチ（１００−２）に所望の設定がされているので、スイッチ（１００−２）の設定はせずに、タイマをリスタートする（ＳＱ３−２６）。ユーザ端末（１０−Ａ１）は第１のテーブル（１０−２１）を更新し（ＳＱ３−２５）、転送装置（１００）同様タイマをリスタートさせる（ＳＱ３−２７）。
【００５４】
ユーザ端末（１０−Ａ１）がＩＰアドレス１９２．１６８．１．３へ継続して送信する必要がなくなった場合、再問い合わせをしなければ、転送装置（１００）ではタイムアウト（ＳＱ２−２９）を契機に、スイッチ（１００−２）の設定を解除しスイッチパス設定テーブル（１００−１４）をクリアする（ＳＱ３−３１）。ユーザ端末（１０−Ａ１）でも、タイムアウト（ＳＱ３−３０）を契機に、第１のテーブル（１０−２１）を初期化する（ＳＱ３−３２）。以降、再びユーザ端末（１０−Ａ１）がＩＰアドレス１９２．１６８．１．３へデータを送信する場合には、問い合わせが必要となる。
上述の有効期限については、ＬＡＮ内での通信を例に説明したが、サブネットワークをまたぐ通信についても同様にできる。
【００５５】
本実施の形態では、宛先アドレスにＩＰアドレスを用い波長により転送制御を行う例を挙げているが、宛先アドレスとしてイーサネット（登録商標）のＭＡＣアドレスを用いた場合にも対応できる。また、ネットワーク上のＥｎｄ装置としてユーザ端末を例に挙げているが、データの送信元、受信元としてサーバ等のデータ送受信装置を用いた場合にも対応できる。
【産業上の利用可能性】
【００５６】
本発明は、例えば、光ネットワークに利用可能である。また、本発明は、光信号のままで転送を行うアクセスネットワークに利用可能である。
【図面の簡単な説明】
【００５７】
【図１】本実施の形態のネットワーク構成図（１）。
【図２】本実施の形態のユーザ端末の回線部の構成の一例を示す図。
【図３】本実施の形態の転送装置の構成の一例を示す図。
【図４】本実施の形態の光パケットルータの構成の概略一例を示す図。
【図５】本実施の形態のネットワーク構成図（２）。
【図６】転送装置のテーブルの一例を示す図（１）。
【図７】ユーザ端末のテーブルの一例を示す図（１）。
【図８】本実施の形態のネットワーク構成図（３）。
【図９】図５のネットワーク構成において、ユーザ端末（１０−Ａ１）がユーザ端末（１０−Ａ３）へデータを送信する動作シーケンスを示す図。
【図１０】転送装置のテーブルの一例を示す図（２）。
【図１１】ユーザ端末のテーブルの一例を示す図（２）。
【図１２】光パケットルータのテーブルの一例を示す図。
【図１３】転送装置のテーブルの一例を示す図（３）。
【図１４】図８のネットワーク構成において、ユーザ端末（１０−Ａ１）がユーザ端末（１０−Ｂ３）へデータを送信する動作シーケンスを示す図。
【図１５】転送装置のスイッチパス設定テーブルの一例を示す図。
【図１６】ユーザ端末の有効期限つきテーブルの一例を示す図。
【図１７】図５のネットワーク構成において、ユーザ端末（１０−Ａ１）が管理するテーブルを更新し、転送装置（１００）がスイッチパス設定を解除する動作シーケンスを示す図。
【符号の説明】
【００５８】
ＣＮ：コアネットワーク
ＡＮ−Ａ、ＡＮ−Ｂ：アクセスネットワーク
１０−Ａ１〜１０−Ｂ３：ユーザ端末
１００、１０１：転送装置
２００〜２０３：光パケットルータ
１０−１：回線制御部
１０−２：データ光信号受信部
１０−３：制御光信号受信部
１０−４：スイッチ
１０−５：光信号送信部
１０−６：受信光信号分波部
１０−７：送受信光信号合波・分波部
１０−８：光信号送信部制御バス
１０−９：スイッチ制御バス
１０−１０：受信制御電気信号
１０−１１：送受信光信号
１０−１２：受信光信号
１０−１３：受信データ光信号
１０−１４：受信制御光信号
１０−１５：受信データ光信号
１０−１６：受信データ電気信号
１０−１７：送信データ電気信号
１０−１８：送信光信号
１０−１９：内部バス
１０−２０：メモリ
１０−２１：ユーザ端末のテーブル
１００−１：送受信光信号合波・分波部
１００−２：スイッチ
１００−３：制御光信号受信部
１００−４：制御光信号送信部
１００−５：制御部
１００−６：送受信光信号
１００−７：送受信データ光信号
１００−８：受信制御光信号
１００−９：送信制御光信号
１００−１０：受信制御電気信号
１００−１１：送信制御電気信号
１００−１２：スイッチ制御バス
１００−１３：メモリ
１００−１４：転送装置のテーブル
２００−１：光信号制御部
２００−２：メモリ
２００−３：光パケットルータのテーブル
２００−４：送受信光信号
【図１】
0004951460.tif 000002
【図２】
0004951460.tif 000003
【図３】
0004951460.tif 000004
【図４】
0004951460.tif 000005
【図５】
0004951460.tif 000006
【図６】
0004951460.tif 000007
【図７】
0004951460.tif 000008
【図８】
0004951460.tif 000009
【図９】
0004951460.tif 000010
【図１０】
0004951460.tif 000011
【図１１】
0004951460.tif 000012
【図１２】
0004951460.tif 000013
【図１３】
0004951460.tif 000014
【図１４】
0004951460.tif 000015
【図１５】
0004951460.tif 000016
【図１６】
0004951460.tif 000017
【図１７】
0004951460.tif 000018